(57)【要約】【課題】洗剤のロスが無く、洗剤量を微少量まで任意に設定可能で、耐薬品性を特に考慮したポンプを用いる必要のない、自動分析装置用の洗剤希釈装置を提供する。【解決手段】計量ポンプ２により混合管１３にその内容積を超えない所定量の洗剤を導入した後、三方弁３および二方弁３２で流路を切り換えて、混合管１３に水を導入して水と洗剤を混合することで希釈洗浄液を作成する。この構成により、洗剤が無駄に消費されることが無く、洗剤量の設定変更も容易であり、計量ポンプには洗剤が流れないのでその耐薬品性を考慮する必要がない。【選択図】          図１
0003149623.tif 000002
【実用新案登録請求の範囲】
【請求項１】
液状検体と試薬とを反応させる反応セルを洗浄機構により洗浄して繰り返し使用する自動分析装置において、洗剤を希釈液で希釈した洗浄液を前記洗浄機構に供給する洗剤希釈装置が次のａからｄを具備することを特徴とする自動分析装置。
ａ．所定量の洗剤を収容できる内容積を有する混合管
ｂ．前記混合管に前記洗剤を計量吸入する計量ポンプ
ｃ．前記混合管の内容積を超えない所定量の前記洗剤を吸引すべく前記計量ポンプを制御する制御手段
ｄ．前記希釈液を導入する希釈液導入管と前記混合管と該混合管から液体を導出する洗浄液導出管とが連通する第１の状態と、前記希釈液導入管が閉止されると共に前記洗剤を導入する洗剤導入管と前記混合管と前記計量ポンプとが連通する第２の状態とを切り換える流路切換え手段。
【考案の詳細な説明】
【技術分野】
【０００１】
本考案は、例えば臨床または生化学分野で用いられる自動分析装置（自動生化学分析装置）に関し、特にその反応セルを自動洗浄するための洗剤希釈装置に関する。
【背景技術】
【０００２】
自動生化学分析装置は、反応セル（反応管、反応キュベット等とも呼ばれるが、以下単にセルと記す）に血液・尿等の検体と試薬を分注してこれらを反応させた後、反応によって生じる色調の変化を吸光分析法等により分析する装置である。セルは、分析装置に内蔵された洗浄機構で洗浄して繰り返し使用される。その洗浄機構に洗浄液を供給するために所定量の洗剤（酸、またはアルカリ液）を水と混合して洗浄液を作成する洗剤希釈装置が設けられている。洗浄液は、洗浄機構内の洗浄プローブを通して洗浄対象となるセルに注入され、また洗浄後の排液は同じ洗浄プローブにより吸引排出されるが、この洗浄過程については特許文献１に詳述されているので、ここでは説明を省略する。
【０００３】
図３は従来の自動生化学分析装置における洗剤希釈装置の流路構成の一例を示す。
同図において、３１、３２、４１、および４２は二方弁（開閉弁、ストップ弁等とも呼ばれる）であり、計量管１６は１回の洗浄に必要な洗剤量に等しい内容積を持つチューブである。いま、二方弁３１、４１が開き、二方弁３２、４２が閉じた状態で、吸引ポンプ２ａを作動させると洗剤容器１内の洗剤が洗剤導入管１１、二方弁３１、計量管１６、二方弁４１を経て流れ、一部は吸引ポンプ２ａから排出される。これにより計量管１６が洗剤で満たされる。
【０００４】
次に、吸引ポンプ２ａを止め、二方弁３１、４１を閉じ、二方弁３２、４２を開くと、希釈液導入管１２から水が導入され、計量管１６内の洗剤と混合しながら二方弁４２から洗浄液導出管１４を経て流れ、混合室５でさらに混合されて洗浄機構６に洗浄液として供給され、洗浄が行われる。上記過程が洗浄対象となる各セル（図示しない）ごとに繰り返され、これによりセル１本につき計量管１６の内容積で定まる一定量の洗剤が使用される。なお、混合室５は、洗浄液導出管１４の拡径部分であり、ここで洗剤と水は乱流拡散により混合される。
【先行技術文献】
【特許文献】
【０００５】
【特許文献１】特開平６−３３１６３１号公報
【考案の概要】
【考案が解決しようとする課題】
【０００６】
図３に示す従来の洗剤希釈装置には、
１．計量管１６に洗剤を満たすためにはその容積を越える量の洗剤を流して余分の洗剤を排出する必要があり、洗剤に無駄が生じる。
２．洗剤の量を変えるには計量管１６を交換する必要があり、また、微少量（μＬオーダ）の計量は構造上できない。
３．吸引ポンプ２ａには洗剤（酸、またはアルカリ液）に耐える耐薬品性が求められるが、そのような機材は高価であり、装置コスト上昇の要因となる。
等々の問題があった。
【０００７】
本考案はこのような事情に鑑みてなされたものであり、洗剤のロスが無く、洗剤量を微少量まで任意に設定可能で、耐薬品性を特に考慮したポンプを用いる必要のない、自動分析装置用の洗剤希釈装置を提供することを目的とする。
【課題を解決するための手段】
【０００８】
本考案になる洗剤希釈装置は、上記課題を解決するために、次のａからｄを具備して構成される。
ａ．所定量の洗剤を収容できる内容積を有する混合管
ｂ．前記混合管に前記洗剤を計量吸入する計量ポンプ
ｃ．前記混合管の内容積を超えない所定量の前記洗剤を吸引すべく前記計量ポンプを制御する制御手段
ｄ．前記希釈液を導入する希釈液導入管と前記混合管と該混合管から液体を導出する洗浄液導出管とが連通する第１の状態と、前記希釈液導入管が閉止されると共に前記洗剤を導入する洗剤導入管と前記混合管と前記計量ポンプとが連通する第２の状態とを切り換える流路切換え手段。
この構成により、洗剤が無駄に消費されることが無く、洗剤量の設定変更も容易であり、計量ポンプには洗剤が流れないのでその耐薬品性の考慮が不要となる。
【考案の効果】
【０００９】
本考案は上記のように構成されているので、運転コスト、装置コスト共に安く、洗剤量の設定変更も容易で、洗剤を無駄に排出しないので環境汚染も少ない自動生化学分析装置を提供できる。
【図面の簡単な説明】
【００１０】
【図１】本考案の一実施例を示す図である。
【図２】本考案の変形例を示す図である。
【図３】従来の構成を示す図である。
【考案を実施するための形態】
【００１１】
本考案は、計量ポンプにより混合管にその内容積を超えない所定量の洗剤を導入した後、バルブで流路を切り換えて、混合管に水を導入して水と洗剤を混合することで希釈洗浄液を作成するように構成した洗剤希釈装置を備えた自動分析装置である。
実施例１にその最良の実施形態を説明する。
【実施例１】
【００１２】
図１に本考案の一実施例を示す。同図においては図３に示す従来例と同符号を付したものは同一物であるから再度の説明を省く。
図１において、計量ポンプ２は、例えばステッピングモータ駆動のチューブポンプ（蠕動ポンプとも呼ばれる）であり、制御装置７によって回転角を制御されることにより所定量の液体を正確に吸引／吐出することができる。三方弁３は電磁弁の一種で、図中に実線で示す流路状態と点線で示す流路状態とを切り換えるバルブである。混合管１３は、洗剤と水とが導入されるチューブであって、１回の洗浄所要の洗剤量よりも大きい内容積を有する。なお、ここで混合管１３とは、図１における分岐点１３ａから三方弁３までの部分を指すものとする。
【００１３】
上記構成の本実施例装置は以下のように動作する。
まず、前回洗浄後の状態として洗剤導入管１１以外の全ての流路が水で満たされた状態で、二方弁３２を閉じ、三方弁３を実線で示す状態とする。この状態で、制御装置７からの信号で計量ポンプ２を作動させると、所定量の洗剤が洗剤容器１から洗剤導入管１１、三方弁３を経て混合管１３に導入される。制御装置７には予め洗剤量の設定値として混合管１３の内容積を超えない値が設定されており、これに従って、計量ポンプ２は設定値に応じた回転角だけ回転して停止する。この結果、洗剤は混合管１３内の三方弁３寄りの部分にのみ導入され、分岐点１３ａを越えて吸引管１５およびその先まで達することはない。
【００１４】
次に、三方弁３を点線で示す状態に切り換え、二方弁３２を所定の時間開くと、希釈液導入管１２から水が混合管１３に導入され、混合管１３内の洗剤と混合しながら洗浄液導出管１４に流入する。
【００１５】
洗剤導入工程と希釈液導入管からの水の洗剤との混合の工程を繰り返すことで、洗浄液は洗浄液導出管１４を経て混合室５に流入し、ここでさらに混合されて洗浄機構６に洗浄液として供給され、洗浄が行われる。
【００１６】
洗浄終了時は三方弁３が点線で示す状態で、二方弁３２を開くと希釈液導入管１２から水が導入されて上記一連の流路は水で満たされ、次回の洗浄に備える。
【００１７】
上記の通り、計量ポンプ２には水が流れるのみで、洗剤と接することはないから、洗剤による故障が無く、接液部の耐薬品性を考慮する必要がない。また、洗剤量はコンピュータ等で構成される制御装置７上で設定できるので設定変更も容易である。
【００１８】
図１に示す実施例の他にも本考案には種々の変形が可能であり、図２にその例を示す。
なお、同図においては、図１または図３と同一物には同符号を付して示す。
図２（ａ）は、洗剤容器１と計量ポンプ２の位置を入れ換えて洗剤と水の流れを同方向にした例（図１の実施例では、逆方向）であって、機能的には図１の実施例と大差はない。
【００１９】
また、計量ポンプ２のタイプとしては、前記のチューブポンプに限らず、例えばシリンジポンプを用いることもできる。但し、その場合はポンプ停止時もポンプ内流路が閉止されない（チューブポンプの場合は、ポンプ停止と共にポンプ内流路が閉止される）ので、図２（ａ）に示す二方弁４１をポンプに直列に設けて、ポンプ停止時にはこの二方弁４１を閉じることが必要である。
【００２０】
図２（ｂ）は、図１における二方弁３２を三方弁４で置き換えた構成例である。機能的には図１の例と殆ど差はないが、この構成であれば、計量ポンプ２としてチューブポンプ以外のタイプでも追加部品なしで使用可能である。また、部品の統一によりメンテナンス性が向上し、また流路分岐のための部品が不要になる利点がある。
【００２１】
以上、自動生化学分析装置を例示して説明したが、本考案の適用はこれに限定されず、その他の自動分析装置にも適用可能であり、また希釈液も水に限定されない。
【産業上の利用可能性】
【００２２】
本考案は自動生化学分析装置等に利用できる。
【符号の説明】
【００２３】
１  洗剤容器
２  計量ポンプ
２ａ  吸引ポンプ
３  三方弁
４  三方弁
５  混合室
６  洗浄機構
７  制御装置
１１  洗剤導入管
１２  希釈液導入管
１３  混合管
１３ａ  分岐点
１４  洗浄液導出管
１５  吸引管
１６  計量管
３１  二方弁
３２  二方弁
４１  二方弁
４２  二方弁
【図１】
0003149623.tif 000003
【図２】
0003149623.tif 000004
【図３】
0003149623.tif 000005